(57)【要約】      （修正有）【課題】撮影により得られた画像ファイルの管理が容易な撮影装置を提供する。【解決手段】撮影により得られた画像ファイルに、画像データの撮影年月日と、撮影順に付与されるファイル番号とを組み合わせたファイル名を付与して記録メディアに記録する。これにより、ファイル名に接しただけでファイルの内容を予測でき、画像ファイルの管理が容易になる。また、一定の規則を持ってファイル名が付与されるので、画像ファイルを一定の規則を持って整列させることができ、検索、管理が容易になる。【選択図】図３
2005275978.tif 000002
【特許請求の範囲】
【請求項１】
撮影により得られた画像データを所定形式の画像ファイルとして記録メディアに記録する撮影装置において、
画像データの撮影年月日を計測する計測手段と、
撮影順に所定桁数の連続したファイル番号を付与し、前記計測手段で計測された撮影年月日に該ファイル番号を組み合わせた文字列を画像ファイルのファイル名に設定するファイル名設定手段と、
を備えたことを特徴とする撮影装置。
【請求項２】
撮影ジャンルを設定する撮影ジャンル設定手段と、
前記撮影ジャンル設定手段で設定された撮影ジャンルの下で撮影された画像データに対して設定された撮影ジャンルの情報を画像ファイルのヘッダ部に記録する撮影ジャンル記録手段と、
を備えたことを特徴とする請求項１に記載の撮影装置。
【請求項３】
画像を表示する表示手段と、
前記記録メディアに記録された画像ファイルを前記表示手段に再生表示させる表示処理手段であって、画像と共に画像ファイルのヘッダ部に記録された撮影ジャンルを前記表示手段に表示させる表示処理手段と、
を備えたことを特徴とする請求項２に記載の撮影装置。
【請求項４】
ファイル名の変更を指示する指示手段と、
前記指示手段からの指示に応じて画像ファイルのファイル名を撮影年月日の部分を画像ファイルのヘッダ部に記録された撮影ジャンルに変更するファイル名変更手段と、
を備えたことを特徴とする請求項２又は３に記載の撮影装置。
【発明の詳細な説明】
【技術分野】
【０００１】
本発明は撮影装置に係り、撮影により得られた画像ファイルのファイル名を自動生成する撮影装置に関する。
【背景技術】
【０００２】
一般にデジタルカメラで撮影された画像データは、規定の画像ファイルフォーマット（たとえば、Ｅｘｉｆ等）に従った画像ファイルとして記録メディアに記録される。この際、画像ファイルにはファイル名が付与されるが、このファイル名には、「ＡＢＣＤ０００１」等の規定文字数の文字列（ＡＢＣＤ）と規定桁数のファイル番号（０００１）とを組み合わせたファイル名が付与される。
【０００３】
しかし、このようなファイル名のつけ方をして画像ファイルを記録すると、ファイル名を見ただけでは、そこに記録されている画像ファイルの内容を予測することができず、管理が困難になるという欠点があった。
【０００４】
そこで、特許文献１（特開２０００−３４１５６９号公報）では、音声を画像とリンクさせて記憶手段に記録するデジタルカメラにおいて、画像撮影時における音声を画像ファイルのファイル名とすることが提案されている。
【０００５】
また、特許文献２（特開２００２−１８２９５７号公報）では、画像ファイルを格納するフォルダのフォルダ名に、そのフォルダに一番最初に格納された画像ファイルの撮影日時と一番最後に格納された画像ファイルの撮影日時とを組み合わせたフォルダ名にすることが提案されている。
【特許文献１】特開２０００−３４１５６９号公報
【特許文献２】特開２００２−１８２９５７号公報
【発明の開示】
【発明が解決しようとする課題】
【０００６】
しかしながら、特許文献１のように、音声をファイル名として画像ファイルを記録メディアに記録すると、記録された個々の画像ファイルの規則性が損なわれるため、連続再生時や検索時に不利になるという欠点がある。
【０００７】
また、特許文献２の場合、フォルダ名から格納されている画像ファイルの撮影期間を知ることができるが、フォルダに格納されている画像ファイルのファイル名を見ただけでは、いかなる画像であるかを把握できないという欠点がある。
【０００８】
本発明は、このような事情に鑑みてなされたもので、撮影により得られた画像ファイルの管理が容易な撮影装置を提供することを目的とする。
【課題を解決するための手段】
【０００９】
請求項１に係る発明は、前記目的を達成するために、撮影により得られた画像データを所定形式の画像ファイルとして記録メディアに記録する撮影装置において、画像データの撮影年月日を計測する計測手段と、撮影順に所定桁数の連続したファイル番号を付与し、前記計測手段で計測された撮影年月日に該ファイル番号を組み合わせた文字列を画像ファイルのファイル名に設定するファイル名設定手段と、を備えたことを特徴とする撮影装置を提供する。
【００１０】
本発明によれば、撮影により得られた画像ファイルには、画像データの撮影年月日と、撮影順に付与されるファイル番号とを組み合わせたファイル名が付与される。たとえば、２００４年１月１日に１番目に撮影された画像に対しては、「２００４０１０１＿０００１」、２００４年１月１０日に５番目に撮影された画像に対しては、「２００４０１１０＿０００５」というように、「撮影年月日＋ファイル番号」の形式でファイル名が付与される。これにより、ファイル名に接しただけでファイルの内容を予測でき、画像ファイルの管理が容易になる。また、一定の規則を持ってファイル名が付与されるので、画像ファイルを一定の規則を持って整列させることができ、検索、管理が容易になる。
【００１１】
また、請求項２に係る発明は、前記目的を達成するために、撮影ジャンルを設定する撮影ジャンル設定手段と、前記撮影ジャンル設定手段で設定された撮影ジャンルの下で撮影された画像データに対して設定された撮影ジャンルの情報を画像ファイルのヘッダ部に記録する撮影ジャンル記録手段と、を備えたことを特徴とする請求項１に記載の撮影装置を提供する。
【００１２】
本発明によれば、撮影ジャンルを設定して撮影すると、設定した撮影ジャンルの情報が画像ファイルのヘッダ部に記録される。このヘッダ部に記録された撮影ジャンルの情報を読み取ることにより、撮影ジャンルを知ることができ、管理がより容易になる。
【００１３】
また、請求項３に係る発明は、前記目的を達成するために、画像を表示する表示手段と、前記記録メディアに記録された画像ファイルを前記表示手段に再生表示させる表示処理手段であって、画像と共に画像ファイルのヘッダ部に記録された撮影ジャンルを前記表示手段に表示させる表示処理手段と、を備えたことを特徴とする請求項２に記載の撮影装置を提供する。
【００１４】
本発明によれば、画像ファイルを再生すると、画像と共に画像ファイルのヘッダ部に記録された撮影ジャンルの情報が表示手段に表示される。これにより、撮影ジャンルを一目で把握することができるようになる。
【００１５】
また、請求項４に係る発明は、前記目的を達成するために、ファイル名の変更を指示する指示手段と、前記指示手段からの指示に応じて画像ファイルのファイル名を撮影年月日の部分を画像ファイルのヘッダ部に記録された撮影ジャンルに変更するファイル名変更手段と、を備えたことを特徴とする請求項２又は３に記載の撮影装置を提供する。
【００１６】
本発明によれば、指示手段でファイル名の変更を指示すると、画像ファイルのファイル名を構成する撮影年月日の部分が撮影ジャンルに変更される。これにより、ユーザの好みに応じてファイル名を変更でき、より画像ファイルの管理がしやすくなる。
【発明の効果】
【００１７】
本発明に係る撮影装置によれば、撮影により得られた画像ファイルの管理が容易になる。
【発明を実施するための最良の形態】
【００１８】
以下、添付図面に従って本発明に係る撮影装置を実施するための最良の形態について説明する。
【００１９】
図１、図２は、それぞれ本発明が適用されたデジタルカメラ１０の一実施形態を示す正面斜視図と背面斜視図である。
【００２０】
カメラボディ１２の正面には、図１に示すように、レンズ１４、ストロボ１６、ファインダ窓１８、セルフタイマランプ２０等が設けられている。また、カメラボディ１２の右側面にはＵＳＢ端子２２、電源端子２４等が設けられており、上面にはレリーズボタン２６、電源ボタン２８等が設けられている。
【００２１】
一方、カメラボディ１２の背面には、図２に示すように、モニタ３０、ファインダ接眼部３２、ストロボボタン３４、マクロボタン３６、ズームレバー３８、表示ボタン４０、メニュー／ＯＫボタン４２、ＢＡＣＫボタン４４、十字ボタン４６、モードスイッチ４８等が設けられている。
【００２２】
なお、図示しないカメラボディの底面には、バッテリ／メディアカバーが開閉自在に設けられている。このバッテリ／メディアカバーを開くと、バッテリを装填するためのバッテリ室及び記録メディアであるメモリカードを装着するためのメディアスロットが設けられている。
【００２３】
レリーズボタン２６は、半押しと全押しとからなる２段ストローク式のスイッチで構成されており、このレリーズボタン２６の半押しでカメラはＡＥ／ＡＦが作動し、全押しで撮影が実行される。
【００２４】
モニタ３０は、カラー表示可能な液晶ディスプレイで構成されており、記録済み画像の表示画面として利用されるとともに、ユーザインターフェースの表示画面として利用される。また、撮影時には画角確認用の電子ファインダとしても使用される。表示ボタン４０は、このモニタ３０に表示される内容の切り替えを指示するボタンとして機能する。
【００２５】
ストロボボタン３４は、ストロボモードの切り替えを指示するボタンとして機能し、このストロボボタン３４を１回押すごとに撮影中のストロボモードが「オートストロボ」→「赤目軽減ストロボ」→「強制発光ストロボ」→「スローシンクロ」→「ストロボ発光禁止」と切り替えられる。
【００２６】
マクロボタン３６は、マクロ機能のＯＮ／ＯＦＦの切り替えを指示するボタンとして機能し、このマクロボタン３６を１回押すごとに撮影中のマクロ機能のＯＮ／ＯＦＦが切り替えられる。
【００２７】
ズームレバー３８は、撮影時に撮影画像のズーム（テレ／ワイド）を指示するボタンとして機能するとともに、再生時に表示画像のズーム（拡大／縮小）を指示するボタンとして機能する。このズームレバー３８は、上下方向に揺動自在に設けられており、上方向に操作することにより、ズームがテレ側に操作され、下方向に操作することにより、ズームがワイド側に操作される。
【００２８】
メニュー／ＯＫボタン４２は、各モードの通常画面からメニュー画面への遷移を指示するボタン（メニューボタン）として機能するとともに、選択内容の確定、実行を指示するボタン（ＯＫボタン）として機能し、ＢＡＣＫボタン４４は、入力操作のキャンセル等を指示するボタンとして機能する。
【００２９】
十字ボタン４６は、上下左右４方向の指示を入力するボタンとして機能し、メニュー画面などで所望の項目の選択などに使用する。
【００３０】
モードスイッチ４８は、カメラのモードを設定するスイッチとして機能し、このモードスイッチ４８をスライド操作することにより、カメラのモードが「撮影モード」又は「再生モード」に設定される。
【００３１】
図３は図１及び図２に示したデジタルカメラ１０の回路構成を示すブロック図である。
【００３２】
デジタルカメラ１０は、全体の動作を中央処理装置（ＣＰＵ）１００によって統括制御される。ＣＰＵ１００は、操作部１１２（レリーズボタン２６、電源ボタン２８、ストロボボタン３４、マクロボタン３６、ズームレバー３８、表示ボタン４０、メニュー／ＯＫボタン４２、ＢＡＣＫボタン４４、十字ボタン４６、モードスイッチ４８等）からの入力情報に基づき所定のプログラムに従って各ブロックを制御する。
【００３３】
バス１０２を介してＣＰＵ１００と接続されたＲＯＭ１０４には、このＣＰＵ１００が実行するプログラム及び制御に必要な各種データ等が格納されており、ＥＥＰＲＯＭ１０６には、デジタルカメラ１０の動作に関する各種設定情報等が格納されている。また、メモリ（ＳＤＲＡＭ）１０８は、ＣＰＵ１００の演算作業用領域として利用されるとともに、画像データ等の一時記憶領域として利用され、ＶＲＡＭ１１０は、画像データ専用の一時記憶領域として利用される。
【００３４】
モードスイッチ４８でカメラのモードを「撮影モード」に設定し、電源ボタン２８でカメラの電源を投入すると、ＲＯＭ１０４に格納されている撮影制御プログラムがロードされ、デジタルカメラ１０は撮影が可能になる。
【００３５】
レンズ１４を通過した被写体光は、絞り／シャッタユニット１１８を介して撮像素子１２４の受光面に結像される。撮像素子１２４はＣＣＤであり、その受光面には多数のフォトダイオードが二次元的に配列されている。ＣＣＤ１２４の受光面に結像した被写体光は、各フォトダイオードによって入射光量に応じた量の信号電荷に変換される。ＣＣＤ１２４の各フォトダイオードに蓄積された信号電荷は、タイミングジェネレータ（ＴＧ）１２６から加えられる駆動パルスに基づいて信号電荷に応じた電圧信号（画像信号）として順次読み出される。
【００３６】
なお、このＣＣＤ１２４には、各フォトダイオードの電荷蓄積時間（シャッタスピード）を制御する電子シャッタの機能が備えられており、ＣＰＵ１００はタイミングジェネレータ１２６を介してＣＣＤ１２４の電荷蓄積時間を制御する。
【００３７】
ＣＣＤ１２４から出力された画像信号は、アナログ信号処理回路（ＣＤＳ／ＡＭＰ）１２８に加えられる。アナログ信号処理回路１２８は、ＣＣＤ１２４から読み出された各画素ごとのＲ、Ｇ、Ｂ信号をサンプリングホールド（相関二重サンプリング処理）したのち、所定の信号レベルに増幅し、Ａ／Ｄ変換器１３０に出力する。
【００３８】
Ａ／Ｄ変換器１３０は、アナログ信号処理回路１２８から出力されたアナログの画像信号をデジタル信号に変換する。Ａ／Ｄ変換されたデジタルの画像信号は、画像入力コントローラ１３２を介してメモリ１０８に一時格納される。
【００３９】
画像信号処理回路１３４は、ＣＰＵ１００からの指令に従ってメモリ１０８に格納された画像信号に対してオフセット処理、ホワイトバランス補正及び感度補正を含むゲイン・ コントロール処理、ガンマ補正処理等の所定の信号処理を行い、輝度信号（Ｙ信号）及び色差信号（Ｃr,Ｃb 信号）に変換する。
【００４０】
ＣＣＤ１２４で捉えた画像をモニタ３０に表示する場合は、画像信号処理回路１３４で処理された画像データ（輝度・色差信号）をＶＲＡＭ１１０に格納する。ＶＲＡＭ１１０に格納された画像データは文字ＭＩＸ回路１５２を介してビデオエンコーダ１３６に加えられる。ビデオエンコーダ１３６は、入力された画像データを表示用のビデオ信号に変換してモニタ３０に出力する。これにより、ＣＣＤ１２４で捉えた画像がモニタ３０に表示される。
【００４１】
ＣＣＤ１２４から画像信号を定期的に取り込み、その画像信号から生成される画像データによってＶＲＡＭ１１０内の画像データを定期的に書き換え、ビデオエンコーダ１３６を介して連続的にモニタ３０に出力することにより、ＣＣＤ１２４で捉えた画像がモニタ３０にリアルタイムに表示される。撮影者は、このモニタ３０に表示されるリアルタイム画像（スルー画像）を見て、画角やピントを確認する。
【００４２】
なお、文字ＭＩＸ回路１５２は、ＣＰＵ１００からのコマンドに従いＲＯＭ１０４から加えられる文字や記号、図形等のデータとＶＲＡＭ１１０から加えられる画像データとを合成してビデオエンコーダ１３６に出力する。これにより、文字や記号、図形等の情報が画像に重ねられてモニタ３０に表示される。
【００４３】
カメラのモードを撮影モードに設定した状態でレリーズボタン２６を半押しすると、操作部１１２からＣＰＵ１００にＳ１オン信号が入力される。ＣＰＵ１００は、このＳ１ＯＮ信号に応動してＡＥ／ＡＦ処理を開始する。
【００４４】
まず、画像入力コントローラ１３２を介してＣＣＤ１２４から取り込まれた画像信号がＡＥ／ＡＷＢ検出回路１３８並びにＡＦ検出回路１４０に入力される。
【００４５】
ＡＥ／ＡＷＢ検出回路１３８は、１画面を複数のエリア（例えば、１６×１６）に分割し、分割エリアごとにＲ、Ｇ、Ｂ信号を積算する回路を含み、その積算値をＣＰＵ１００に提供する。ＣＰＵ１００は、ＡＥ／ＡＷＢ検出回路１３８から得た積算値に基づいて被写体の明るさ（被写体輝度）を検出し、撮影に適した露出値（撮影ＥＶ値）を算出する。そして、求めた撮影ＥＶ値と所定のプログラム線図から絞り値とシャッタスピードを決定し、これに従いＣＣＤ１２４の電子シャッタと絞り駆動部１４２を制御して適正な露光量を得る。
【００４６】
また、ＡＥ／ＡＷＢ検出回路１３８は、自動ホワイトバランス調整時、分割エリアごとにＲ、Ｇ、Ｂ信号の色別の平均積算値を算出し、その算出結果をＣＰＵ１００に提供する。ＣＰＵ１００は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号に補正をかける。
【００４７】
ＡＦ検出回路１４０は、高周波成分抽出回路と積算回路とを含み、入力される画像信号のうちＧ成分のデータをサンプリングして所定のフォーカスエリア内での高周波成分を抽出する。そして、その絶対値をとり、設定されたエリア内で絶対値データを積算して得られた値（評価値）をＣＰＵ１００に通知する。ＣＰＵ１００は、レンズ駆動部１４４を制御してフォーカスレンズを移動させながら、複数のＡＦ検出ポイントで評価値を演算し、評価値が極大となるレンズ位置を合焦位置として決定する。そして、求めた合焦位置にフォーカスレンズが移動するようにレンズ駆動部１４４を制御する。
【００４８】
以上のように、レリーズボタン２６が半押しされると、ＣＰＵ１００はＡＥ／ＡＦ処理を実行する。この後、レリーズボタン２６が全押しされると、ＣＰＵ１００にＳ２オン信号が入力され、ＣＰＵ１００は、このＳ２オン信号に応動して、撮影、記録処理を実行する。
【００４９】
まず、ＡＥ処理時に算出した絞り値、シャッタスピードとなるように、絞り駆動部１４２及びＣＣＤ１２４の電子シャッタを制御し、１コマ分の画像を撮像する。撮像された１コマ分の画像信号は、ＣＣＤ１２４からアナログ信号処理回路１２８、Ａ／Ｄ変換器１３０、画像入力コントローラ１３２を介してメモリ１０８に取り込まれる。メモリ１０８に取り込まれた画像信号は、画像信号処理回路１３４で所定の信号処理が施され、輝度・色差信号に変換されたのち、メモリ１０８に格納される。
【００５０】
この後、画像データ（輝度・色差信号）は、ＣＰＵ１００からのコマンドに従って圧縮伸張処理回路１４６に加えられ、所定の圧縮フォーマットに従って圧縮されたのち、再びメモリ１０８に格納される。なお、ここではＪＰＥＧフォーマットに従って画像データを圧縮するものとする。
【００５１】
ＣＰＵ１００は、メモリ１０８に格納された圧縮画像データを所定の画像ファイルフォーマットに従った画像ファイルとして、メディアコントローラ１４８を介してメモリカード１５０に記録する。なお、ここではＥｘｉｆ形式に従った画像ファイルとして、メモリカード１５０に記録するものとする。
【００５２】
Ｅｘｉｆ形式の画像ファイルは、図４に示すように、付属情報を画像ファイルのヘッダ部にタグ形式で記録することができるようにされている。付属情報タグには、図５に示すように、バージョンに関する情報や画像データの特性に関する情報、構造に関する情報、ユーザ情報、関連ファイル情報、日時に関する情報、撮影条件に関する情報、ＩＦＤへのポインタに関する情報等の撮影した画像に関する撮影データがタグ形式で記録される。
【００５３】
ここで、ユーザ情報に関するタグであるメーカノートには、メーカが個別の情報を記入することができるようにされており、また、ユーザコメントには、ユーザがキーワードやコメントを書き込むことができるようにされている。
【００５４】
本実施の形態のデジタルカメラ１０では、このユーザコメントのエリアに撮影ジャンルの情報が書き込まれる。撮影ジャンルは、撮影前にユーザが撮影目的に応じて設定する。この撮影ジャンルの設定は、モニタ３０を用いて次のように行なわれる。
【００５５】
カメラのモードを撮影モードに設定した状態でメニュー／ＯＫボタン４２を押すと、図６（ａ）に示すように、モニタ３０に撮影メニューの画面が表示される。ユーザは、このメニュー画面に表示された撮影メニューの項目の中から「撮影ジャンル設定」の項目を選択する。選択は十字ボタン４６でカーソルを移動させることにより行い、選択した項目の決定はメニュー／ＯＫボタン４２を押すことにより行なう。
【００５６】
撮影メニューの項目の中から「撮影ジャンル設定」の項目が選択されると、図６（ｂ）に示すように、選択可能な撮影ジャンルがモニタ３０に一覧表示される。ユーザは、この一覧表示された撮影ジャンルの中から撮影目的に対応する撮影ジャンルを選択する。選択は、上記同様、十字ボタン４６でカーソルを移動させることにより行い、選択した項目の決定はメニュー／ＯＫボタン４２を押すことにより行なう。図６（ｂ）には、撮影ジャンルとして「旅行」が選択された状態が示されている。なお、ここでは、撮影ジャンルとして、「人物」、「風景」、「夜景」、「旅行」、「家族」、「友達」、「ペット」、「その他」の８ジャンルを用意しているが、これに限定されるものではない。
【００５７】
撮影ジャンルが選択され、メニュー／ＯＫボタン４２が押されると、撮影ジャンルの設定は完了し、設定された撮影ジャンルの情報がＥＥＰＲＯＭ１０６に格納される。この後、モニタ３０の表示は設定前の状態に復帰し、スルー画像を表示させていた場合は、図６（ｃ）に示すように、スルー画像と共に設定した撮影ジャンルの情報が表示される。なお、図６（ｃ）には、撮影ジャンルに「旅行」が選択されている時の状態が示されている。
【００５８】
以上のようにして、撮影ジャンルを設定して撮影すると、設定された撮影ジャンルの情報が、ユーザコメントのエリアに書き込まれる。なお、設定しないで撮影した場合、ユーザコメントのエリアには何も書き込まれない。
【００５９】
日時に関する情報のタグには、原画像データの生成日時、すなわち撮影日時の情報が書き込まれる。ＣＰＵ１００は、撮影時の日時の情報を現在日時を計測するタイマ１５４から取得し、原画像の生成日時のエリアに書き込む。
【００６０】
撮影条件に関するタグには、図５に別表で示すように、撮影時の露出時間やＦナンバー、露出プログラム、スペクトル感度、ＩＳＯスピードレート、光電変換関数、シャッタースピード、絞り値、輝度値、露出補正値、レンズ最小Ｆ値、被写体距離、測光方式、光源、フラッシュ、レンズ焦点距離、フラッシュ強度、空間周波数応答、焦点面の幅の解像度、焦点面の高さの解像度、焦点面解像度単位、被写体位置、露出インデックス、センサー方式、ファイルソース、シーンタイプ、ＣＦＡパターン等が記録できるようにされており、ＣＰＵ１００は、これら撮影条件に関する情報を収集し、対応する各エリアに書き込む。
【００６１】
このように、撮影された画像データは、圧縮後、これらの付属情報が付されたＥｉｘｆ形式の画像ファイルとされて、メモリカード１５０に記録される。この際、画像ファイルは、所定の規則に従ったファイル名が付されてメモリカード１５０に記録される。すなわち、画像ファイルには、格納された画像データの「撮影年月日」と、撮影順に連番として付与される４桁の「ファイル番号」とを組み合わせたファイル名が付与される。具体的には「撮影年月日」と「ファイル番号」とを「＿」で結合した文字列からなるファイル名が付与される。
【００６２】
たとえば、格納された画像データの撮影年月日が２００４年１月１日であって、一番最初に撮影された画像データであれば、その画像ファイルには、撮影年月日である２００４年１月１日を表す「２００４０１０１」という文字列と、ファイル番号を表す「０００１」という文字列とを「＿」で結合した「２００４０１０１＿０００１」という文字列のファイル名が付与される。
【００６３】
同様に、格納された画像データの撮影年月日が２００４年１２月２５日であって、１００番目に撮影された画像データであれば、その画像ファイルには、撮影年月日である２００４年１２月２５日を表す「２００４１２２５」という文字列と、ファイル番号を表す「０１００」という文字列とを「＿」で結合した「２００４１２２５＿０１００」という文字列のファイル名が付与される。
【００６４】
ＣＰＵ１００は、ファイル番号をカウントし、最後にカウントしたファイル番号の情報をＥＥＰＲＯＭ１０６に記録する。ファイル名生成時には、このＥＥＰＲＯＭ１０６に格納された最終のファイル番号に１を加えたファイル番号を撮影した画像データのファイル番号とし、このファイル番号とタイマ１５４から取得した撮影年月日の情報とに基づいてファイル名を生成する。
【００６５】
なお、ＥＥＰＲＯＭ１０６に記録されるファイル番号は、ユーザからの指示に応じてクリアされ、ファイル番号「００００」に復帰する。
【００６６】
このように、本実施の形態のデジタルカメラ１０では、撮影により取得された画像ファイルに対して、その画像ファイルに格納された画像データの「撮影年月日」と、撮影順に連番として付与される４桁の「ファイル番号」とを組み合わせた文字列からなるファイル名が付与されて、メモリカード１５０に記録される。
【００６７】
メモリカード１５０に記録された画像ファイルは、カメラのモードを「再生モード」に設定することにより、モニタ３０に再生表示することができる。
【００６８】
再生モードへの移行は、モードスイッチ４８を「撮影位置」から「再生位置」にスライドさせることにより行なわれる。これにより、ＲＯＭ１０４に格納されている再生制御プログラムがロードされ、メモリカード１５０に格納されている画像ファイルがモニタ３０に再生表示される。なお、再生モードに設定すると、モニタ３０には、一番最後にメモリカード１５０に記録された画像ファイルが一番最初に再生表示される。
【００６９】
画像ファイルの再生処理は、まず、再生対象とする画像ファイルの画像データをメモリカード１５０から読み出し、圧縮伸張処理回路１４６に加える。圧縮伸張処理回路１４６は、入力された圧縮画像データを伸張処理し、非圧縮の画像データ（輝度／色差信号）に変換する。伸張された画像データは、ＶＲＡＭ１１０を介して文字ＭＩＸ回路１５２に加えられ、ここで所定の文字情報と合成されたのち、ビデオエンコーダ１３６を介してモニタ３０に出力される。これにより、図７に示すように、メモリカード１５０に記録された画像ファイルがモニタ３０に再生表示される。
【００７０】
この際、モニタ３０には、図７に示すように、再生中の画像のファイル名の情報が再生画像に重ねて表示される。また、画像ファイルに撮影ジャンルの情報が含まれている場合には、撮影ジャンルの情報が表示される。ＣＰＵ１００は、これらの情報を画像ファイルから読み出し、対応する文字情報をＲＯＭ１０４から取得して文字ＭＩＸ回路１５２に加え、再生画像に合成する。
【００７１】
画像のコマ送りは、十字ボタン４６で行なわれ、十字ボタン４６の右キーが押されると、画像が順コマ送りされ、左キーが押されると、画像が逆コマ送りされる。すなわち、十字ボタン４６の右キーが押されると、その操作信号がＣＰＵ１００に出力され、ＣＰＵ１００は、再生中の画像の次のファイル番号の画像データをメモリカード１５０から読み出し、モニタ３０に再生表示させる。同様に十字ボタン４６の左キーが押されると、その操作信号がＣＰＵ１００に出力され、ＣＰＵ１００は、再生中の画像の前のファイル番号の画像データをメモリカード１５０から読み出し、モニタ３０に再生表示させる。
【００７２】
このように、十字ボタン４６の右キーと左キーの操作で画像の順コマ送り、逆コマ送りが行なわれ、メモリカード１５０に記録されている画像の再生を行なうことができる。
【００７３】
なお、再生中の画像が最終のファイル番号の画像である場合に順コマ送りを行なうと、先頭のファイル番号の画像がモニタ３０に再生表示される。また、再生中の画像が先頭のファイル番号の画像である場合に逆コマ送りを行なうと、最終のファイル番号の画像がモニタ３０に再生表示される。
【００７４】
以上説明したように、本実施の形態のデジタルカメラ１０によれば、撮影により得られた画像ファイルに対して、「撮影年月日」と「ファイル番号」とを組み合わせたファイル名が付与されるため、ファイル名からファイルに記録されている画像の内容を予測できるようになり、画像の管理、検索が容易になる。
【００７５】
また、パソコン等に取り込んだ場合も撮影した日付の順に画像ファイルを整列させることができるため、目的のファイルを容易に検索できる。
【００７６】
また、本実施の形態のデジタルカメラ１０によれば、撮影ジャンルを設定して撮影することにより、設定した撮影ジャンルの情報を画像ファイルに含めることができる。この撮影ジャンルの情報は、たとえば検索に使用することができ、この撮影ジャンルの情報を読み取った検索を行なうことにより、目的とする画像ファイルを効率よく検索することができるようになる。
【００７７】
また、画像ファイルに含まれる撮影ジャンルの情報は、画像再生時に再生画像と共に表示されるため、再生中の画像の撮影ジャンルを一目で把握することができる。
【００７８】
なお、本実施の形態のデジタルカメラ１０では、あらかじめ撮影ジャンルを設定して撮影することとしているが、画像撮影直後に撮影ジャンルを設定するようにしてもよいし、また、画像再生中に撮影ジャンルを設定するようにしてもよい。
【００７９】
また、あらかじめ用意された撮影ジャンルの中から選択するだけでなく、場所の名前や被写体名等、ユーザが自ら撮影ジャンルを入力し、設定できるようにしてもよい（いわゆるカスタム設定）。
【００８０】
また、本実施の形態のデジタルカメラ１０では、ファイル番号を４桁としているが、ファイル番号の桁数は、これに限定されるものではない。
【００８１】
さらに、撮影年月日の表記方法も上記実施の形態のものに限定されるものではなく、たとえば、西暦の下２桁のみを使用し、２００４年１月１日を「０４０１０１」と表記してもよいし、また、年号を利用して、２００４年１月１日（平成１６年１月１日）を「Ｈ１６０１０１」と表記してもよい。
【００８２】
また、撮影ジャンルが設定されている場合には、撮影ジャンルとファイル番号とを組み合わせた文字列を画像ファイルのファイル名としてもよい。たとえば、撮影された画像データの撮影ジャンルが「旅行」に設定されており、１００番目に撮影された画像データであれば、その画像ファイルには、撮影ジャンルを表す「旅行」という文字列と、ファイル番号を表す「０１００」という文字列とを「＿」で結合した「旅行＿０１００」という文字列のファイル名を付与する。
【００８３】
また、撮影年月日とファイル番号との組み合わせからなるファイル名を撮影ジャンルとファイル番号との組み合わせからなるファイル名に書き換えられるようにしてもよい。
【００８４】
以下、このファイル名を書き換える手順について説明する。図８は、ファイル名の変更処理の手順を示すフローチャートである。
【００８５】
ファイル名の書き換え処理は、再生モードの下で行なわれ、まず、図９（ａ）に示すように、ファイル名の書き換え対象となる画像をモニタ３０に再生表示させる（ステップＳ１０）。このとき、モニタ３０には、画面右上隅にファイル名が表示され、右下隅に撮影ジャンルが表示される。
【００８６】
次に、書き換え対象となる画像をモニタ３０に表示した状態で十字ボタン４６の下ボタンを押すと、カメラのモードがファイル名書き換えモードに移行する。ＣＰＵ１００は、この下ボタンの押下の有無を判定し（ステップＳ１１）、押下されたと判断すると、カメラのモードを再生モードからファイル名書き換えモードに移行させる。そして、図９（ｂ）に示すように、モニタ３０に表示されている撮影ジャンルを点滅させる（ステップＳ１２）。ここでは、撮影ジャンルとして「旅行」が設定されているものとして「旅行」の表示が点滅する。
【００８７】
撮影ジャンルが点滅した状態で更に十字ボタン４６の下ボタンを押すと、ファイル名の書き換え処理が実行される。ＣＰＵ１００は、この下ボタンの押下の有無を判定し（ステップＳ１３）、押下されたと判断すると、ファイル名の書き換え処理を実行する（ステップＳ１４）。すなわち、撮影年月日とファイル番号との組み合わせからなるファイル名を撮影ジャンルとファイル番号との組み合わせからなるファイル名に書き替える。図９（ｂ）に示す例では、元のファイル名が「２００４０１０１＿０００１」であり、撮影ジャンルが「旅行」であるので、「旅行＿０００１」というファイル名に書き換えられる。
【００８８】
ファイル名の書き換え処理が行なわれると、図９（ｃ）に示すように、モニタ３０には、変更後のファイル名が表示されるとともに、撮影ジャンルが表示されていた箇所に撮影年月日が表示される。図９（ｃ）に示す例では、画面右上隅に変更後のファイル名である「旅行＿０００１」が表示され、画面右下隅に撮影年月日である「２００４／０１／０１」が表示される。
【００８９】
このように、ファイル名を書き換える場合は、モニタ３０に書き換え対象となる画像を表示させた状態で十字ボタン４６の下ボタンを２度押す。これにより、ファイル名が書き換えられる。そして、このように撮影ジャンルとファイル番号との組み合わせからなるファイル名に書き換えることにより、ファイル名からファイルに記録されている画像の内容を予測できるようになり、画像の管理、検索が容易になる。
【００９０】
なお、上記の例では撮影年月日とファイル番号との組み合わせからなるファイル名を撮影ジャンルとファイル番号との組み合わせからなるファイル名に書き換える場合について説明したが、撮影ジャンルとファイル番号との組み合わせからなるファイル名に書き換えた画像ファイルに対して更に同じ操作を行なった場合は、撮影年月日とファイル番号との組み合わせからなるファイル名に書き換えられるようにしてもよい。
【００９１】
また、上記の例では、モニタ３０に書き換え対象となる画像を表示させた状態で十字ボタン４６の下ボタンを２度押すことにより、ファイル名の書き換えの指示を出しているが、他の方法で書き換えの指示を出すようにしてもよい。たとえば、レリーズボタン２６の２度押しにより、ファイル名の書き換えの指示を出してもよいし、また、書き換え指示専用のボタンを設け、当該ボタンの押下により、ファイル名の書き換えの指示を出してもよい。また、再生メニューの項目の中にファイル名の書き換え指示の項目を作り、当該項目を選択することにより、ファイル名の書き換え指示を出すようにしてもよい。
【００９２】
また、書き換えるファイル名は、撮影ジャンルとファイル番号との組み合わせからなるファイル名に限定されず、撮影ジャンルと撮影年月日とファイル番号との組み合わせからなるファイル名や、撮影年月日と撮影ジャンルとファイル番号との組み合わせからなるファイル名に書き換えてもよい。たとえばファイル名が「２００４０１０１＿０００１」であり、撮影ジャンルが「旅行」である画像ファイルに対して「旅行＿２００４０１０１＿０００１」というファイル名や、「２００４０１０１＿旅行＿０００１」というファイル名に書き換えてもよい。
【００９３】
なお、書き換えるファイル名が既に存在する場合は、メッセージ等をモニタ３０に表示し、警告を発することが好ましい。そして、この場合は、ファイル名の書き換えを不能とするか、上記例のように、撮影ジャンルと撮影年月日とファイル番号との組み合わせからなるファイル名（旅行＿２００４０１０１＿０００１）や、「旅行０１＿０００１」のように、撮影ジャンルと２桁の連番とファイル番号との組み合わせからなるファイル名に書き換えるようにすることが好ましい。
【００９４】
また、本実施の形態では、画像ファイルの記録フォーマットとして、Ｅｘｉｆを用いているが、画像ファイルの記録フォーマットは、これに限定されるものではない。
【００９５】
また、本実施の形態では、本発明をデジタルカメラに適用した場合を例に説明したが、本発明の適用はこれに限定されるものではなく、撮影機能を備えた携帯電話機やＰＤＡ等にも同様に適用することができる。また、静止画像を記録するカメラだけでなく、動画像を記録するカメラにも同様に適用することができる。
【図面の簡単な説明】
【００９６】
【図１】デジタルカメラの正面斜視図
【図２】デジタルカメラの背面斜視図
【図３】デジタルカメラの内部の回路構成を示すブロック図
【図４】Ｅｘｉｆ形式の画像ファイルの構成を示す図
【図５】Ｅｘｉｆ形式の画像ファイルに書き込まれる付属情報の一覧を示す図
【図６】撮影ジャンルの設定処理時におけるモニタの表示例を示す図
【図７】画像再生時におけるモニタの表示例を示す図
【図８】ファイル名の書き換え処理の手順を示すフローチャート
【図９】ファイル名の書き換え処理時におけるモニタの表示例を示す図
【符号の説明】
【００９７】
１０…デジタルカメラ、１２…カメラボディ、１４…レンズ、２６…レリーズボタン、２８…電源ボタン、３０…モニタ、３４…ストロボボタン、３６…マクロボタン、３８…ズームレバー、４０…表示ボタン、４２…メニュー／ＯＫボタン、４４…ＢＡＣＫボタン、４６…十字ボタン、４８…モードスイッチ、１００…中央処理装置（ＣＰＵ）、１０２…バス、１０４…ＲＯＭ、１０６…ＥＥＰＲＯＭ、１０８…メモリ（ＳＤＲＡＭ）、１１０…ＶＲＡＭ、１１２…操作部、１１８…絞り／シャッタユニット、１２４…撮像素子（ＣＣＤ）、１２６…タイミングジェネレータ（ＴＧ）、１２８…アナログ信号処理回路、１３０…Ａ／Ｄ変換器、１３２…画像入力コントローラ、１３４…画像信号処理回路、１３６…ビデオエンコーダ、１３８…ＡＥ／ＡＷＢ検出回路、１４０…ＡＦ検出回路、１４２…絞り駆動部、１４４…レンズ駆動部、１４６…圧縮伸張処理回路、１４８…メディアコントローラ、１５０…メモリカード、１５２…文字ＭＩＸ回路
【図１】
2005275978.tif 000003
【図２】
2005275978.tif 000004
【図３】
2005275978.tif 000005
【図４】
2005275978.tif 000006
【図５】
2005275978.tif 000007
【図６】
2005275978.tif 000008
【図７】
2005275978.tif 000009
【図８】
2005275978.tif 000010
【図９】
2005275978.tif 000011